(57)【要約】【課題】  光源を用いることなく、光エネルギーが遮断されても高い視認性を長時間維持することができる表示装置を提供する。【解決手段】  表示板の表示面側に視認可能に配置された光エネルギーを受けたときに光る蛍光部と、光エネルギーを吸収し蓄積することができ、蓄積した光エネルギーを蛍光部に供給可能に配置された蓄光部とを備えた表示装置。光源を用いることなく、蓄光部が蓄積した光エネルギーにより蛍光部を光らせることができるので、蛍光部の高い視認性を長時間維持する。【選択図】  図２
2005062655.tif 000002
【特許請求の範囲】
【請求項１】
表示板の表示面側から視認可能に配置され光エネルギーを受けたとき光る材料からなる蛍光部と、光エネルギーを吸収し蓄積することが可能の材料からなり、光エネルギーを吸収可能に配置され蓄積した光エネルギーで前記蛍光部を光らせる蓄光部とを備える表示装置。
【請求項２】
前記表示板には表示内容を示す表示記号を模る凹所が形成され、該凹所の少なくとも底面には反射膜が形成され、該反射膜上に前記蓄光部が前記凹所の開放口から光エネルギーを吸収可能に形成され、前記蛍光部は前記凹所内で前記蓄光部に接触して配置されている請求項１に記載の表示装置。
【請求項３】
前記凹所には、前記反射膜上に前記蓄光部と前記蛍光部とが順次積層して配置されている請求項２に記載の表示装置。
【請求項４】
前記蓄光部の少なくとも一部が前記表示板の表面側から視認可能である請求項２に記載の表示装置。
【請求項５】
前記凹所には底部の近傍に該凹所の開放口よりも径を増大する増径部が形成され、前記蛍光部は前記凹所の底部の中央部に配置され、前記蓄光部は前記増径部内に前記蛍光部を取り巻いて配置され前記蛍光部の外周で該蛍光部を超えて立ち上がる周面を有する請求項２に記載の表示装置。
【請求項６】
前記表示板には、前記蓄光部が光を吸収するための開口部が前記表示面とは別の面に設けられている請求項２ないし請求項５のいずれかに記載の表示装置。
【発明の詳細な説明】
【技術分野】
【０００１】
本発明は、例えば車両に設けられるクーラーを操作する操作装置のための表示装置に関し、特に操作機能を示す表示記号が光を利用して視認性を高められた表示装置に関する。
【背景技術】
【０００２】
従来のこの種の表示装置では、光エネルギーを受けたときに光る蛍光塗料を用いたものがある。この従来の表示装置によれば、表示板の表示面側から視認可能な位置に設けられた表示内容が示される表示記号を蛍光塗料で印刷して形成することが提案されている（例えば、特許文献１参照。）。
【０００３】
このように形成された前記表示記号は、蛍光塗料により視認性が高められていることから、光源を用いることなく形成することができ、明るい場所では蛍光塗料が光ることで前記表示記号の視認性が高まる。
【特許文献１】実開平５−３１０４３号公報（第５−９頁、第１図）
【発明の開示】
【発明が解決しようとする課題】
【０００４】
しかしながら、蛍光塗料は、光エネルギーを受けたときに光るが、受けた光エネルギーを蓄積できないので、受けている光エネルギーが遮断されたときは光り続けることができない。このため、蛍光塗料により形成された前記表示記号は、暗い場所では外部から光を受けない限り光ることができないので視認性が低く、例えば操作装置の補助として前記表示記号が形成された表示装置を暗い場所で用いるには不向きであった。
【０００５】
そこで、本発明の目的は、光源を用いることなく、光エネルギーが遮断されても高い視認性を維持することができる表示装置を提供することにある。
【課題を解決するための手段】
【０００６】
上記した課題を解決するため、請求項１に記載の表示装置は、表示板の表示面側から視認可能に配置され光エネルギーを受けたとき光る材料からなる蛍光部と、光エネルギーを吸収し蓄積することが可能の材料からなり、光エネルギーを吸収可能に配置され蓄積した光エネルギーで前記蛍光部を光らせる蓄光部とを備える。
【０００７】
請求項２に記載の表示装置は、請求項１に記載の表示装置において、前記表示板には表示内容を示す表示記号を模る凹所が形成され、該凹所の少なくとも底面には反射膜が形成され、該反射膜上に前記蓄光部が前記凹所の開放口から光エネルギーを吸収可能に形成され、前記蛍光部は前記凹所内で前記蓄光部に接触して配置されている。
【０００８】
請求項３に記載の表示装置は、請求項２に記載の表示装置において、前記凹所には、前記反射膜上に前記蓄光部と前記蛍光部とが順次積層して配置されている。
【０００９】
請求項４に記載の表示装置は、請求項２に記載の表示装置において、前記蓄光部の少なくとも一部が前記表示板の表面側から視認可能である。
【００１０】
請求項５に記載の表示装置は、請求項２に記載の表示装置において、前記凹所には底部の近傍に該凹所の開放口よりも径を増大する増径部が形成され、前記蛍光部は前記凹所の底部の中央部に配置され、前記蓄光部は前記増径部内に前記蛍光部を取り巻いて配置され前記蛍光部の外周で該蛍光部を超えて立ち上がる周面を有する。
【００１１】
請求項６に記載の表示装置は、請求項２ないし請求項５のいずれかに記載の表示装置において、前記表示板には、前記蓄光部が光を吸収するための開口部が前記表示面とは別の面に設けられている。
【００１２】
請求項１に記載の表示装置では、光エネルギーを吸収可能に配置された前記蓄光部が、蓄積した光エネルギーを前記蛍光部に放出するため、該蛍光部は光エネルギーが遮断された暗い場所であっても前記蓄光部から与えられた光エネルギーにより光る。
【００１３】
請求項２に記載の表示装置では、前記凹所の底面の前記反射膜上に前記蓄光部が前記蛍光部と接触して配置されている。前記蓄光部に吸収されず透過して前記凹所の底面に達した光は、前記反射面で反射されて再び前記蓄光部に向かい該蓄光部に蓄積されることから、光エネルギーが効率良く利用される。また、前記表示板の表示内容を示す前記表示記号は、該表示記号を模る前記凹所内に前記蛍光部が前記蓄光部と接触して配置されているので、該蓄光部からの光エネルギーは前記蛍光部に直接放出され、該蛍光部は前記蓄光部からの光エネルギーを効率良く受けて光り、暗い場所でも高い視認性を長時間維持する。
【００１４】
請求項３に記載の表示装置では、前記反射膜上に前記蓄光部と前記蛍光部とが順次積層して配置されているため、前記蛍光部が前記表示板の表面側に位置し、前記蛍光部からの光は前記蓄光部を通過することなく視認可能になるので、前記表示記号の視認性がより高まる。
【００１５】
請求項４に記載の表示装置では、前記蓄光部の少なくとも一部が前記表示板の表面側から視認可能であることから、前記蓄光部は外部からの光エネルギーを直接吸収することができ、より多くの光エネルギーを前記蛍光部に供給する。
【００１６】
請求項５に記載の表示装置では、前記蓄光部の前記蛍光部を取り巻く周面が外部からの光エネルギーを直接吸収することができるので、より多くの光エネルギーを前記蛍光部に供給することができる。また、前記蓄光部が前記増径部に配置されているため、前記凹所の前記開放口と等しく前記蛍光部の表面を形成することができ、前記蛍光部の表面が大きくなるので、前記表示記号の視認性がより高まる。
【００１７】
請求項６に記載の表示装置では、前記蓄光部が前記開口部からも光エネルギーを吸収できるので、前記蓄光部は、より多くの光エネルギーを蓄積できより多くの光エネルギーを前記蛍光部に供給する。
【発明の効果】
【００１８】
本発明の表示装置によれば、表示板の表示面側から視認可能に、光エネルギーを受けたときに光る蛍光部と、光エネルギーを吸収し蓄積することが可能な蓄光部とが設けられていて、前記蓄光部は、蓄積した光エネルギーを前記蛍光部に放出するように配置されている。したがって、光エネルギーの少ない暗い場所であっても、光源を用いることなく、前記蓄光部が蓄積した光エネルギーにより前記蛍光部を光らせることができるので、前記蛍光部の高い視認性を長時間維持することができる表示装置を提供することができる。
【発明を実施するための最良の形態】
【００１９】
本発明を、図１ないし図４に示した実施例に沿って詳細に説明する。
【実施例１】
【００２０】
図１は、本発明に係る表示装置を備えた車両に設けられるクーラーを操作する操作装置の一例を部分的に示す。
【００２１】
本発明に係る車両用クーラーの操作装置１０には、図１に示すように、クーラーの吹き出し位置を選択する６個の押圧スイッチ１１が設けられている。各押圧スイッチ１１は、操作装置１０の操作盤１０ａに押圧可能に組み込まれている。押圧スイッチ１１には、クーラーの操作装置１０を操作する乗員側に面する表面に表示装置１２がそれぞれ設けられている。表示装置１２のそれぞれには、各表示装置１２が設けられた押圧スイッチ１１の機能を示す表示記号１３が形成されている。従来良く知られているように、選択された押圧スイッチ１１を押すことにより、各押圧スイッチ１１に設けられた表示記号１３が示す吹き出し位置を選択することができる。
【００２２】
押圧スイッチ１１の表示装置１２を断面で示す図２に示すように、表示装置１２は、反射膜１４と、表示板１５とを備える。反射膜１４は、押圧スイッチ１１の本体部１１ａの上面に設けられ、例えば、本体部１１ａの上面に白色の塗料を印刷して形成される。表示板１５は、反射膜１４の上に設けられる。表示板１５は、遮光性を有する材料からなり、反射膜１４全体を覆う。表示板１５には、表示板１５を板厚方向に貫通した貫通孔が設けられ、該貫通孔と反射膜１４とで凹所１６を規定する。凹所１６は、表面側から見て表示記号１３を模っている。
【００２３】
凹所１６の底面の反射膜１４の上に蓄光部１７が配置される。蓄光部１７は、光を受けたときにその光エネルギーを吸収して蓄積し、この蓄積した光エネルギーを徐々に光として放出する性質を有する材料からなる。このような材料として、例えばアルミン酸系ストロンチウム系および硫化亜鉛系等があり、これを蛍光塗料として印刷することで蓄光部１７を形成できる。アルミン酸系ストロンチウム系の方が、硫化亜鉛系と比較して光を長時間放出し、放出した光が明るいことから、蓄光部１７により適している。蓄光部１７は、後に述べるように、太陽光および蛍光灯等の光を受け蓄積した光エネルギーを、蛍光部１８に放出する。
【００２４】
蓄光部１７の上に蛍光部１８が配置される。蛍光部１８は蛍光性を有する材料からなる。従来良く知られているように、蛍光性を有する材料は、光を受けたときに光る性質を有し、有機蛍光および無機蛍光等がある。蛍光部１８は、例えば、蛍光性を有する材料からなる蛍光塗料を印刷して形成できる。凹所１６には、蓄光部１７および蛍光部１８のそれぞれが凹所１６の横断面全域を覆うように反射膜１４の上に順次積層している。
【００２５】
蛍光部１８の上に、透光性を有する材料からなり蛍光部１８を保護する保護部１９が設けられる。保護部１９は、例えばアクリル樹脂で形成され、蛍光部１８の表面全体を覆う。保護部１９は、不要とすることができるが、蛍光部１８の損傷を防止する上で設けたほうが望ましい。
【００２６】
次に本発明に係る表示装置１２についての作用を説明する。
【００２７】
表示板１５を照射する光の一部が凹所１６を照射すると、この照射光は、保護部１９を透過して蛍光部１８に入射する。蛍光部１８に入射した光は、一部は蛍光部１８に吸収され他部は蛍光部１８を透過し蓄光部１７に入射する。蛍光部１８は、吸収した光を蛍光作用による光として出射し、蛍光部１８から出射された光は、保護部１９を透過して凹所１６の開放口１６ａから外部へ向けて放射される。
【００２８】
蓄光部１７に入射した光は、大半は蓄光部１７に吸収され、残部は蓄光部１７を透過する。透過した光は、反射膜１４に向い該反射膜で反射され、蓄光部１７に再び入射し、吸収される。蓄光部１７は、吸収した光を蓄光作用により光エネルギーとして蓄積し、蓄積した光エネルギーを蛍光部１８に徐々に放出する。蓄光部１７から放出された光エネルギーを受けて、蛍光部１８は従来と同様に光る。
【００２９】
ここで、表示板１５を照射する光が遮断されたとする。上記したように、蓄光部１７には、蓄光作用により入射した光が光エネルギーとして蓄積されている。蓄光部１７は、蓄積した光エネルギーを徐々に放出する。例えば、蓄光部１７を、上記したアルミン酸系ストロンチウム系を材料として形成した場合は、約８時間に渡り光を放出する。この放出された光エネルギーは蛍光部１８に入射して、蛍光部１８に吸収される。蛍光部１８は、吸収した光を蛍光作用による光として出射し、蛍光部１８から出射された光は、保護部１９を透過して凹所１６の開放口１６ａから外部へ向けて放射される。この放射された光が視認される。
【００３０】
本発明に係る表示装置１２は、表示板１５の表面から見て表示記号１３を模った凹所１６に配置された蛍光部１８を、表示装置１２を照射した光を利用して蓄光部１７に光エネルギーを蓄積することで光らせるので、外部からの光が遮断されても表示記号１３が光る。また、表示装置１２は、光源を用いることなく構成されているので、製造工程が複雑にならず、細かい場所であっても形成が可能である。よって、光源を用いることなく、表示内容を示す表示記号１３の高い視認性を光エネルギーが遮断されても長時間維持することができる表示装置１２を提供することができる。
【００３１】
反射膜１４は、白色の塗料により形成されなくても反射性を有していれば良く、押圧スイッチ１１の表面が反射性を有する材料で形成されていれば、この表面を反射膜１４とすることもできる。なお、反射膜１４は不要とすることができるが、光エネルギーを効率良く利用する上で設けたほうが望ましく、凹所１６の底面のみに設けられても良い。
【実施例２】
【００３２】
図３に示すように、実施例２は、表示板１５の側面に開口部２０が設けられ、凹所１６内の蓄光部１７と蛍光部１８との配置が実施例１と異なる例である。
【００３３】
操作装置１２は、実施例１と同様に反射膜１４と表示板１５とを備える。表示板１５には、凹所１６から伸長して表示板１５の側面に開放する開口部２０が形成されている。
【００３４】
凹所１６内と開口部２０とを満たすように蓄光部１７が設けられている。凹所１６の中央部には蓄光部１７から一部を露出させて蛍光部１８が設けられている。
【００３５】
次に本発明に係る表示装置１２の実施例２についての作用を説明する。
【００３６】
表示板１５を照射する光の一部が凹所１６を照射すると、この照射光の一部は蛍光部１８に入射し、他部は蓄光部１７に入射する。それぞれに入射して、吸収されずに透過した光は反射膜１４に向かい、反射膜１４で反射され蓄光部１７に再び入射し吸収される。また、蓄光部１７は、表示板１５の側面の開口部２０まで伸長し、表示板１５の側面は外部に露出しているので、開口部２０からも光を吸収する。
【００３７】
蛍光部１８は、実施例１と同様に蓄光部１７からの光エネルギーを吸収し、光を表示装置１２の表面に位置する蛍光部１８の表面から外部へ向けて放つ。蓄光部１７から放出される光の一部は、蛍光部１８に吸収されることなく蓄光部１７の表面から外部へ放出される。
【００３８】
本発明に係る実施例２の表示装置１２は、表示装置１２の表面に蓄光部１７が視認可能に配置されているので外部からの光を直接吸収することができ且つ、開口部２０からも外部からの光を吸収できるので、より多くの光エネルギーを蛍光部１８に供給でき、高い視認性を維持できる。
【００３９】
実施例２では、蛍光部１８は、表示板１５の表面側から見て蓄光部１７に周囲を囲まれて配置されたが、蓄光部１７と蛍光部１８とが視認可能に配置されれば、同様の効果が得られる。
【実施例３】
【００４０】
図４に示すように、実施例３は、操作装置１２の凹所１６に増径部１６ｂが設けられ、凹所１６内の蓄光部１７と蛍光部１８との配置が実施例１と異なる例である。
【００４１】
操作装置１２は、実施例１と同様に反射膜１４と表示板１５とを備える。表示板１５の凹所１６の底部には、凹所１６の開放口１６ａよりも径を増大する増径部１６ｂが形成される。凹所１６の底部の中央部には、表示板１５の表面から見て凹所１６の開放口１６ａと等しい横断面形状を有する蛍光部１８が、表示板１５の表面から見て開放口１６ａと重なるように配置される。増径部１６ｂには、蛍光部１８の両端を挟むように蓄光部１７を充填して配置される。蛍光部１８は、表示板１５の板厚方向で見て凹所１６の底面から蓄光部１７よりも低く形成されているので、蓄光部１７の周面１７ａが凹所１６内で露出する。
【００４２】
次に本発明に係る表示装置１２の実施例３についての作用を説明する。
【００４３】
表示板１５を照射する光の一部は凹所１６を照射すると、この照射光の一部は蛍光部１８に入射し、他部は露出した周面１７ａから蓄光部１７に入射する。それぞれに入射して、吸収されずに透過した光は反射膜１４に向かい、反射膜１４で反射され蓄光部１７または蛍光部１８に再び入射し吸収される。蛍光部１８は、実施例１と同様に蓄光部１７からの光エネルギーを吸収し、光を表示装置１２の表面に位置する蛍光部１８の表面から外部へ向けて放つ。蓄光部１７が放出した光の一部が外部へ向かう。
【００４４】
本発明に係る実施例３の表示装置１２は、蓄光部１７が外部からの光をその周面１７ａから直接吸収することができ且つ、蛍光部１８の表面が凹所１６の開放口１６ａと等しくなるように形成されているので、より大きな光エネルギーを大きな面から光として放つことになり、表示記号１３の視認性が高まる。
【００４５】
実施例２ないし実施例３では、実施例１の表示装置１２に形成した保護部１９は設けられてないが、保護部１９を形成しても構わない。
【００４６】
実施例２で形成した開口部２０は、実施例１ないし実施例３には設けられてないが、蓄光部１７に蓄積する光エネルギーが少ないときは設ける方が望ましい。
【００４７】
上記した実施例では、操作装置１２は、押圧スイッチ１１の本体部１１ａの上面に設けたが、操作盤１０ａに形成することもできる。また、本発明の表示装置１２は、上記した例では車両用クーラーに設けられたが、電子機器の操作装置、音響機器の操作装置および時計等の表示内容を示すものに使用することができる。
【図面の簡単な説明】
【００４８】
【図１】本発明に係る表示装置を備えた車両に設けられるクーラーを操作する操作装置である。
【図２】図１に示したII−II線に沿って得られた実施例１を示す断面を拡大した図である。
【図３】本発明に係る実施例２を示す図２と同様の図面である。
【図４】本発明に係る実施例３を示す図２と同様の図面である。
【符号の説明】
【００４９】
１２  表示装置
１３  表示記号
１４  反射膜
１５  表示板
１６  凹所
１６ａ  (凹所の)開放口
１６ｂ  (凹所の)増径部
１６ｃ  (凹所の)周面
１７  蓄光部
１８  蛍光部
２０  開口部
【図１】
2005062655.tif 000003
【図２】
2005062655.tif 000004
【図３】
2005062655.tif 000005
【図４】
2005062655.tif 000006